(57)【要約】【課題】浴室の使用状態を判断して換気運転を行えるようにした浴室換気装置を提供する。【解決手段】浴室空調装置１Ａは、浴室５１に隣接した洗面脱衣室５２に設置された操作部２Ａに湿度検知センサ４Ａを備え、洗面脱衣室５２の湿度に応じて浴室５１の換気を行う入浴後換気運転モードが実行される。入浴後換気運転モードでは、制御部３Ａは、湿度検知センサ４Ａで洗面脱衣室５２の湿度の上昇を検知すると、入浴者が浴室扉５１ａを開けて浴室５１から出て、入浴が終了したと判断して、浴室換気装置１Ａで換気運転を開始する。また、入浴後換気運転モードで換気運転を開始すると、洗面脱衣室５２の湿度の低下または時間の経過等に応じて換気運転を停止する。【選択図】        図１
2008157537.tif 000002
【特許請求の範囲】
【請求項１】
浴室の空気を吸い込んで屋外に排出する換気運転が少なくとも行われる換気装置本体と、
前記浴室との間に扉を有して隣接した他室の湿度を検知する湿度検知手段と、
前記湿度検知手段で検知された前記他室の湿度の変化に応じて前記浴室の使用状態を判断し、前記湿度検知手段で前記他室の湿度の上昇を検知することで、前記換気運転を行う制御手段と
を備えたことを特徴とする浴室換気装置。
【請求項２】
前記制御手段は、前記湿度検知手段で検知された前記浴室と隣接した他室の湿度または湿度の上昇率が、所定の換気開始値となるのに伴い、前記換気運転を行うようにした
ことを特徴とする請求項１記載の浴室換気装置。
【請求項３】
前記制御手段は、前記湿度検知手段で検知された前記他室の湿度が、所定の換気終了値となった場合に、換気運転を停止する
ことを特徴とする請求項１または２記載の浴室換気装置。
【請求項４】
前記他室の湿度の下降率または上昇率と換気停止時間を関連付けた換気停止時間テーブルが、データ記憶手段に予め記憶され、前記制御手段は、前記湿度検知手段で検知された前記他室の湿度の下降率または上昇率に基づいて、前記換気停止時間テーブルから換気停止時間を選択し、選択された換気停止時間に基づいて換気運転を停止する
ことを特徴とする請求項１または２記載の浴室換気装置。
【請求項５】
前記換気装置本体は、前記他室に設置された吸込口から空気を吸い込んで屋外に排出する他室換気手段を備え、
前記制御手段は、換気運転を開始すると、前記他室換気手段で前記他室の換気を行う
ことを特徴とする請求項１，２，３または４記載の浴室換気装置。
【請求項６】
前記制御手段は、前記浴室からの換気運転の停止前に、前記他室換気手段での前記他室からの換気を停止する
ことを特徴とする請求項５記載の浴室換気装置。
【請求項７】
浴室の空気を吸い込んで屋外に排出する換気運転が少なくとも行われる浴室換気装置と、
前記浴室との間に扉を有して隣接した他室の湿度を検知する湿度検知手段と、
前記他室に温風を吹き出す暖房運転が少なくとも行われる他室暖房装置と、
前記湿度検知手段で検知された前記他室の湿度の変化に応じて前記浴室の使用状態を判断し、前記湿度検知手段で前記他室の湿度の上昇を検知することで、前記浴室換気装置で前記浴室の換気運転を行うと共に、前記他室暖房装置で前記他室の暖房運転を行う制御手段と
を備えたことを特徴とする浴室換気システム。
【発明の詳細な説明】
【技術分野】
【０００１】
本発明は、浴室の換気を行う機能を有した浴室換気装置、及びこの浴室換気装置を備えた浴室換気システムに関し、特に、入浴後に換気運転を自動的に開始できるようにしたものである。
【背景技術】
【０００２】
従来より、浴室等の換気や、浴室及び衣類等の乾燥を行う機能を備えた浴室換気装置が提案されている。従来の浴室換気装置は、浴室に隣接し、脱衣や洗面等が行われる洗面脱衣室等に操作部が設置され、操作部の操作で換気運転等が実行される。このため、入浴後に換気運転を行う場合は、入浴が終了して浴室から出た入浴者が、換気運転の開始や停止を指示する操作を行う必要があった。
【０００３】
また、湿度センサを備えて浴室内の湿度（相対湿度）を検知し、浴室内の湿度に基づいて運転を停止する制御が行われる浴室換気装置も提案されている。
【０００４】
更に、湿度センサの結露を防止するためのヒータを備えた浴室換気装置も提案されている（例えば、特許文献１参照）。
【０００５】
【特許文献１】特開２００２−３７２２７８号公報
【発明の開示】
【発明が解決しようとする課題】
【０００６】
通常、入浴中の浴室は高湿の状態になっているので、入浴後に浴室換気装置で換気運転を行って湿気を排出することで、カビの発生を抑制するようにしている。
【０００７】
しかし、従来の浴室換気装置では、入浴後に換気運転を行うためには入浴者等の操作が必要で、操作が煩わしくなる虞があった。また、操作が行われないと換気運転が行われず、浴室内に湿気が残った状態となる虞があった。
【０００８】
また、換気運転の停止も入浴者等の操作が必要で、浴室を乾燥させるために必要な換気時間が経過する前に換気運転が停止され、浴室内に湿気が残った状態となったり、必要以上に長時間の換気運転が行われ、電力の無駄な消費や騒音の原因につながる虞があった。
【０００９】
更に、入浴者がタイマーで換気時間を設定する場合も、換気時間の過不足が発生する虞があった。
【００１０】
一方、湿度センサで浴室内の湿度を検知し、浴室内の湿度に基づいて運転を停止する制御が行われる浴室換気装置では、入浴中等に湿度センサに結露が発生し、正確に湿度が検知できなくなる虞があった。
【００１１】
これに対し、湿度センサの結露を防止するためのヒータを備えた浴室換気装置では、湿度の検知は正確に行えるようになるが、ヒータを備えるために製品としてのコストが高くなると共に、ヒータ使用時の消費電力があり、ランニングコストも高くなる虞があった。
【００１２】
本発明は、このような課題を解決するためになされたもので、浴室の使用状態を判断して換気運転を行えるようにした浴室換気装置及び浴室換気システムを提供することを目的とする。
【課題を解決するための手段】
【００１３】
上述した課題を解決するため、本発明の浴室換気装置は、浴室の空気を吸い込んで屋外に排出する換気運転が少なくとも行われる換気装置本体と、浴室との間に扉を有して隣接した他室の湿度を検知する湿度検知手段と、湿度検知手段で検知された他室の湿度の変化に応じて浴室の使用状態を判断し、湿度検知手段で他室の湿度の上昇を検知することで、換気運転を行う制御手段とを備えたことを特徴とする。
【００１４】
本発明の浴室換気装置では、入浴者が浴室の扉を開け、浴室に隣接した他室に出ることで、浴室の湿気が他室に移動することによる湿度の上昇を、この他室に設置した湿度検知手段で検知すると、浴室の換気運転が行われ、浴室内の湿気が屋外に排出される。
【００１５】
また、本発明の浴室換気システムは、浴室の空気を吸い込んで屋外に排出する換気運転が少なくとも行われる浴室換気装置と、浴室との間に扉を有して隣接した他室の湿度を検知する湿度検知手段と、他室に温風を吹き出す暖房運転が少なくとも行われる他室暖房装置と、湿度検知手段で検知された他室の湿度の変化に応じて浴室の使用状態を判断し、湿度検知手段で他室の湿度の上昇を検知することで、浴室換気装置で浴室の換気運転を行うと共に、他室暖房装置で他室の暖房運転を行う制御手段とを備えたことを特徴とする。
【００１６】
本発明の浴室換気システムでは、入浴者が浴室の扉を開け、浴室に隣接した他室に出ることで、浴室の湿気が他室に移動することによる湿度の上昇を、この他室に設置した湿度検知手段で検知することで、入浴の有無が判断される。
【００１７】
そして、入浴があったと判断すると、浴室の換気運転が行われ、浴室内の湿気が屋外に排出される。また、浴室に隣接した他室の暖房運転が行われ、相対湿度が下げられた他室の空気が、浴室の換気運転を行うことで発生する空気の流れによって、浴室の扉の空気取入口から浴室に取り込まれる。
【発明の効果】
【００１８】
本発明の浴室換気装置及び浴室換気システムによれば、入浴者等の操作によらず、入浴後に浴室の換気運転が開始されるので、操作の煩わしさを解消できると共に、入浴後に浴室の換気が確実に行われるので、カビの発生を抑制することができる。
【００１９】
また、湿度検知手段が浴室との間に扉を有して隣接した他室に設置されるので、結露の影響を排除でき、湿度を正確に検知できる。更に、湿度検知手段の結露を防止するヒータが不要となるので、製品としてのコストを下げることができると共に、消費電力が抑制されるので、ランニングコストを下げることができる。
【００２０】
また、浴室内の湿度と、浴室に隣接した他室の湿度は相関関係があることから、この他室で検知される湿度の下降率や上昇率から換気停止時間を求めることとすれば、換気停止時間を入浴者等がタイマーで設定する場合と比較して、換気時間が過剰であったり、また、換気時間が不足するといった設定のミスを無くすことができる。
【発明を実施するための最良の形態】
【００２１】
以下、図面を参照して本発明の浴室換気装置及び浴室換気システムの実施の形態について説明する。
【００２２】
＜第１の実施の形態の浴室換気装置の構成例＞
図１は、第１の実施の形態の浴室換気装置の一例を示す構成図である。第１の実施の形態の浴室換気装置１Ａは、浴室暖房換気乾燥機等と称され、浴室５１の天井に設置される。
【００２３】
浴室換気装置１Ａは、浴室５１との間に浴室扉５１ａを有して隣接した他室である洗面脱衣室５２の、浴室扉５１ａに近い壁面に設置された操作部２Ａで操作され、操作部２Ａが操作されることで選択された運転モードが制御部３Ａの制御で実行される。
【００２４】
本例では、操作部２Ａに湿度検知手段の一例として湿度検知センサ４Ａを備え、洗面脱衣室５２の湿度に応じて浴室５１の換気を行う入浴後換気運転モードが実行される。
【００２５】
入浴後換気運転モードでは、制御部３Ａは、湿度検知センサ４Ａで洗面脱衣室５２の湿度の上昇を検知すると、入浴者が浴室扉５１ａを開けて浴室５１から出て、入浴が終了したと判断して、浴室換気装置１Ａで換気運転を開始する。また、入浴後換気運転モードで換気運転を開始すると、洗面脱衣室５２の湿度の低下または時間の経過等に応じて換気運転を停止する。
【００２６】
尚、浴室換気装置１Ａでは、入浴後換気運転モード以外の運転モードとして、循環風により温風を吹き出して、浴室５１の暖房を行う暖房運転モードが実行される。
【００２７】
また、操作部２Ａの操作で浴室５１の換気を行う通常の換気運転モードと、所定時間で図示しない建物の空気が入れ替えられる風量で常時換気を行う２４時間換気運転モードが実行される。
【００２８】
更に、循環風により温風を吹き出しながら浴室５１の換気を行って、浴室５１に干された衣類等の乾燥を行う衣類乾燥運転モードと、循環風により送風を吹き出す涼風運転モードが実行される。
【００２９】
図２及び図３は、浴室換気装置１Ａの一例を示す構成図で、図２は、浴室換気装置１Ａの断面図、図３は浴室換気装置１Ａを下方から見た分解斜視図である。
【００３０】
浴室換気装置１Ａは、空気を吸い込んで循環させる循環ファン部１２と、空気を吸い込んで排気する換気ファン部１３とを備える。
【００３１】
循環ファン部１２は循環送風手段の一例で、回転軸の向きを鉛直方向とした多翼のファン１４と、ファン１４を回転駆動する循環ファンモータ１５と、風路を形成する循環ファンケース１６を備える。
【００３２】
循環ファンケース１６は、ファン１４の軸方向に沿った下面が開口して循環ファン吸込口１７が形成される。また、循環ファンケース１６は、ファン１４の接線方向に沿って吹出風路１８が形成され、吹出風路１８と連通した下面が開口して循環ファン吹出口１９が形成される。
【００３３】
循環ファン部１２では、循環ファンモータ１５によってファン１４が回転駆動されると、循環ファン吸込口１７から空気が吸い込まれ、循環ファン吸込口１７から吸い込まれた空気は、吹出風路１８を通って循環ファン吹出口１９から吹き出される。
【００３４】
浴室換気装置１Ａは、循環ファン部１２にヒータ２０ｈを備える。ヒータ２０ｈは加熱手段の一例で、例えばＰＴＣヒータが用いられ、循環ファン吹出口１９の近傍の吹出風路１８に取り付けられる。これにより、ファン１４を回転駆動すると共にヒータ２０ｈに通電すると、吹出風路１８を通る空気がヒータ２０ｈによって加熱されて、循環ファン吹出口１９から温風が吹き出す。
【００３５】
換気ファン部１３は換気手段の一例で、回転軸の向きを鉛直方向とした多翼のファン２１と、ファン２１を回転駆動する換気ファンモータ２２と、風路を形成する換気ファンケース２３を備える。
【００３６】
換気ファンケース２３は、ファン２１の軸方向に沿った下面が開口して換気ファン吸込口２４が形成される。また、換気ファンケース２３は、ファン２１の接線方向に沿って排気風路２５が形成され、排気風路２５と連通した一の側面が開口して排気口２６が形成される。
【００３７】
浴室換気装置１Ａは、循環ファン部１２と換気ファン部１３を収容する本体ケース２７を備える。本体ケース２７は、鉄等の金属で構成され、循環ファン部１２の上側に換気ファン部１３が重なる形態で、循環ファン部１２と換気ファン部１３が取り付けられる。
【００３８】
浴室換気装置１Ａは、本体ケース２７の一の側面に、換気ファン部１３の排気口２６と連通した排気ダクトジョイント２８ａが取り付けられる。
【００３９】
また、浴室換気装置１Ａは、排気口２６の形成面以外の本体ケース２７の他の側面に１個または２個の副吸込口２７ａが形成され、副吸込口２７ａに副吸込ダクトジョイント２８ｂが取り付けられる。
【００４０】
更に、浴室換気装置１Ａは、本体ケース２７内で循環ファン部１２の上側に、循環ファン部１２の吹出風路１８とは独立して、副吸込口２７ａと換気ファン吸込口２４を連通させた副吸込風路２７ｂが形成される。
【００４１】
副吸込ダクトジョイント２８ｂは、副吸込口２７ａを開閉する副吸込口開閉ダンパ２９を備える。副吸込口開閉ダンパ２９は他室換気手段の一例で、ダンパモータ２９ａに駆動されて副吸込口２７ａを開閉する。副吸込口開閉ダンパ２９で副吸込口２７ａを閉じると、他室、本例では図１に示す洗面脱衣室５２からの空気の吸い込みが停止される。また、副吸込口開閉ダンパ２９の開度を調整することで、他室から吸い込まれる空気の量が調整される。
【００４２】
浴室換気装置１Ａは、換気ファン部１３の下側に換気吸込風路形成部材３０が取り付けられる。換気吸込風路形成部材３０は、本体ケース２７の下面側に開口を有して換気吸込口３０ａを形成すると共に、換気吸込口３０ａと換気ファン吸込口２４を連通させた換気吸込風路３０ｂを形成する。
【００４３】
換気吸込口３０ａは、換気吸込風路３０ｂを開閉する風路開閉ダンパ３１を備える。風路開閉ダンパ３１は、ダンパモータ３１ａに駆動されて換気吸込風路３０ｂを開閉する。風路開閉ダンパ３１で換気吸込風路３０ｂを閉じると、図１に示す浴室５１からの空気の吸い込みが停止される。また、風路開閉ダンパ３１の開度を調整することで、浴室５１から吸い込まれる空気の量が調整される。
【００４４】
浴室換気装置１Ａは、本体ケース２７の下面にフロントパネル３２を備える。フロントパネル３２は、本体ケース２７に対して着脱できるように構成され、循環ファン部１２の循環ファン吸込口１７及び換気ファン部１３と連通した換気吸込口３０ａと対向して吸込グリル３２ａが形成される。また、フロントパネル３２は、循環ファン部１２の循環ファン吹出口１９と対向して吹出グリル３２ｂが形成される。
【００４５】
次に、図１を参照にして浴室換気装置１Ａの設置例について説明する。浴室換気装置１Ａは、浴室５１の天井に設置される。浴室５１の天井パネルには、図２等で説明した浴室換気装置１Ａの本体ケース２７が入る開口部が形成され、浴室換気装置１Ａは、フロントパネル３２が露出するようにして、天井裏から吊り下げる形態、あるいは天井パネルに固定する形態等で取り付けられる。
【００４６】
浴室５１の天井に取り付けられた浴室換気装置１Ａは、排気ダクトジョイント２８ａに排気ダクト５ａが接続される。排気ダクト５ａは、図示しない建物の外壁５３に取り付けた屋外グリル６に接続され、浴室換気装置１Ａで浴室５１等から吸い込んだ空気を、排気ダクト５ａを介して屋外に排出できる構成となっている。
【００４７】
また、浴室換気装置１Ａは、副吸込口２７ａに取り付けられた副吸込ダクトジョイント２８ｂに副吸込ダクト５ｂが接続され、副吸込ダクト５ｂは、洗面脱衣室５２に設置された副吸込口グリル７に接続されて、洗面脱衣室５２及び図示しない建物の他室の空気を吸い込める構成となっている。
【００４８】
浴室換気装置１Ａは、洗濯物等の被乾燥物を乾燥させる機能を備えるので、浴室５１には洗濯物等を掛けるランドリパイプ５４を備える。また、浴室換気装置１Ａの吹出グリル３２ｂから吹き出す空気が、浴槽５５ａから出て洗い場５５ｂに居る入浴者に直接当たると、体が濡れている場合等に寒さを感じることがある。このため、空気の吹き出し方向が浴槽５５ａ側に向くように、吹出グリル３２ｂによる吹き出し方向が設定される。
【００４９】
浴室５１の入口に備えた浴室扉５１ａには、空気取入口（ガラリ）５１ｂを備え、浴室５１に隣接した洗面所脱衣所５２等の空気を浴室５１内に取り込めるようになっている。
【００５０】
＜第１の実施の形態の浴室換気装置の制御機能例＞
図４は、浴室換気装置１Ａの制御系の一例を示す機能ブロック図である。浴室換気装置１Ａは、ＣＰＵやＥＥＰＲＯＭ等の不揮発性のメモリ７１ａ等を有した制御部３Ａに、操作部２Ａと、操作部２Ａに備えた湿度検知センサ４Ａと、図２及び図３で説明した循環ファンモータ１５と、換気ファンモータ２２と、ヒータ２０ｈと、ダンパモータ２９ａ，３１ａ等が接続される。
【００５１】
制御部３Ａは制御手段の一例で、メモリ７１ａ等に格納されたプログラムに従って、本例では、暖房運転を行う暖房運転モード、換気運転を行う換気運転モード、入浴後に換気運転を自動で行う入浴後換気運転モード（浴室乾燥運転モード）、衣類の乾燥運転を行う衣類乾燥運転モード、涼風運転を行う涼風運転モード及び２４時間換気運転を行う２４時間換気運転モードを実行する。
【００５２】
入浴後換気運転モードでは、湿度検知センサ４Ａで検知された洗面脱衣室５２の湿度が、予め設定された所定の換気開始湿度になると、換気運転を開始する制御が行われる。または、湿度検知センサ４Ａで検知された洗面脱衣室５２の湿度の上昇率が、予め設定された所定の換気開始湿度上昇率になると、換気運転を開始する制御が行われる。
【００５３】
また、入浴後換気運転モードでは、予め設定された換気停止時間が経過すると、換気運転を停止する制御が行われる。ここで、換気停止時間は、換気運転を開始してからの時間、あるいは、湿度検知センサ４Ａで検出された洗面脱衣室５２の湿度が所定値まで下降してからの時間で設定される。
【００５４】
または、洗面脱衣室５２の湿度の下降率あるいは上昇率と、換気停止時間とを関連付けた換気停止時間テーブルをデータ記憶手段としてのメモリ７１ａ等に記憶しておき、湿度検知センサ４Ａで検知された洗面脱衣室５２の湿度の下降率あるいは上昇率に応じて換気停止時間テーブルから選択された換気停止時間が経過すると、換気運転を停止する制御が行われる。
【００５５】
＜第１の実施の形態の浴室換気装置の動作例＞
図５及び図６は、入浴に伴う浴室及び洗面脱衣室の湿度及び温度等の関係を示すグラフであり、次に、各図を参照して第１の実施の形態の浴室換気装置１Ａの動作例について説明する。なお、図５と図６は、図１に示す浴室５１の広さを異ならせた場合の計測例である。
【００５６】
図１に示す浴室５１に入浴者が入り、シャワー等を使用すると、図５及び図６に示すように、浴室５１の湿度が上昇する。一方、浴室扉５１ａが閉められて浴室５１と仕切られている洗面脱衣室５２の湿度は、殆ど上昇しない。
【００５７】
これに対して、入浴が終了した入浴者が浴室５１から出るため、浴室扉５１ａを開けると、浴室５１内の湿気が洗面脱衣室５２に移動することで、洗面脱衣室５２の湿度が上昇する。なお、浴室５１及び洗面脱衣室５２の温度は、殆ど変化しない。
【００５８】
これにより、洗面脱衣室５２の壁面に設置される操作部２Ａ等に湿度検知センサ４Ａを備えて、洗面脱衣室５２の湿度を検知することで、入浴が終了して入浴者が浴室５１から出たか否かが判断できる。なお、湿度検知センサ４Ａは、洗面脱衣所５２の湿度を検知できれば良いので、洗面脱衣室５２の壁面や天井面に設置しても良い。
【００５９】
そして、制御部３Ａは、入浴後換気運転モードが選択されている設定では、湿度検知センサ４Ａで検知された洗面脱衣室５２の湿度が、予め設定された所定の換気開始湿度になると、換気運転を開始する。
【００６０】
なお、湿度検知センサ４Ａで検知された洗面脱衣室５２の湿度を所定の間隔毎に記憶しておき、湿度検知センサ４Ａで検知された洗面脱衣室５２の湿度の上昇率が、予め設定された所定の換気開始湿度上昇率になると、換気運転を開始するようにしても良い。
【００６１】
更に、季節や浴室５１の状況によって湿度が変動するので、湿度検知センサ４Ａで検知された湿度と、湿度の上昇率の双方から、入浴の有無の判断をするようにしても良い。
【００６２】
制御部３Ａは、換気運転では、例えば、ダンパモータ３１ａを駆動して風路開閉ダンパ３１を開けて所定の開度にすると共に、ダンパモータ２９ａを駆動して副吸込口開閉ダンパ２９を開けて所定の開度にして、換気ファンモータ２２を駆動する。
【００６３】
換気ファンモータ２２が駆動されると、換気ファン部１３のファン２１が回転することで、フロントパネル３２の吸込グリル３２ａから、換気吸込口３０ａを通り換気ファン吸込口２４へ浴室５１内の空気が吸い込まれる。
【００６４】
換気ファン吸込口２４から吸い込まれた空気は、排気風路２５によって排気口２６へと流れる。そして、排気ダクトジョイント２８ａに接続された排気ダクト５ａから、屋外グリル６を介して屋外へ排出される。
【００６５】
また、換気ファンモータ２２が駆動されると、副吸込ダクトジョイント２８ｂに接続された副吸込ダクト５ｂを介して、副吸込口グリル７から洗面脱衣室５２の空気が吸い込まれ、排気ダクトジョイント２８ａに接続された排気ダクト５ａから、屋外グリル６を介して屋外へ排出される。
【００６６】
なお、浴室換気装置１Ａで浴室５１の空気が吸い込まれると、浴室扉５１ａの空気取入口５１ｂからも洗面脱衣室５２の空気が浴室５１に吸い込まれ、副吸込口グリル７から吸い込まれる空気の流れによって、浴室５１の空気が洗面脱衣室５２に流れ込まない風量となるように、副吸込口開閉ダンパ２９の開度等が設定されている。
【００６７】
これにより、入浴後換気運転モードが設定されていると、浴室５１から出た入浴者が操作部２Ａを操作することなく換気運転が開始され、入浴後換気運転モードで換気運転を行うと、浴室換気装置１Ａの吸込グリル３２ａから浴室５１内の高湿の空気ＷＡが吸い込まれる。
【００６８】
また、副吸込口グリル７から洗面脱衣室５２内の空気ＷＡが吸い込まれる。更に、浴室扉５１ａの空気取入口５１ｂからも洗面脱衣室５２内の空気ＷＡが吸い込まれる。
【００６９】
そして、浴室５１及び洗面脱衣室５２から浴室換気装置１Ａに吸い込まれた空気ＷＡは、屋外グリル６から排気ＥＡとして屋外に排出される。
【００７０】
従って、入浴後換気運転モードで入浴後に換気運転を行うと、図５及び図６に示すように、浴室５１の湿度が下がると共に、洗面脱衣室５２の湿度が下がり、カビの発生等を抑制することができる。
【００７１】
このように、入浴者が操作部２Ａの図示しない換気運転ボタンを押して換気運転を開始する操作を行わなくても、入浴があったことを判断して換気運転が行われるので、入浴の都度、換気運転ボタンを押す等の煩わしさが解消される。
【００７２】
また、換気運転を開始する操作が忘れられて、換気運転が行われないという問題が解消され、カビの発生等を抑制することができる。
【００７３】
更に、湿度検知センサ４Ａが洗面脱衣室５２に設置されることで、入浴中でも湿度検知センサ４Ａには結露が発生せず、結露の影響による湿度の誤検知を防止できると共に、結露を防止するためのヒータ等の設置が不要となり、コストを削減し、消費電力を抑制することができる。
【００７４】
ここで、本例の浴室換気装置１Ａは、副吸込口２７ａを備えた構成で、入浴後換気運転モードでは、副吸込グリル７から空気を吸い込んで洗面脱衣室５２の換気を行うことで、浴室扉５１ａを開けたことで洗面脱衣室５２に流れた湿気を排出している。
【００７５】
但し、洗面脱衣室５２の湿気は、浴室５１に比較して短時間で排出できることから、換気運転開始後、予め設定された所定時間が経過すると、副吸込口開閉ダンパ２９を閉じることで浴室５１からの換気風量を増やし、浴室５１の湿気を短時間で排出できるようにしても良い。
【００７６】
なお、副吸込口を備えていない浴室換気装置の場合は、浴室扉５１ａの空気取入口５１ｂから洗面脱衣室５２の換気が行われる構成となる。
【００７７】
次に、入浴後換気運転モードで開始された換気運転を停止する制御について説明する。制御部３Ａは、換気運転を開始してから、予め設定された換気停止時間が経過すると、ダンパモータ３１ａを駆動して風路開閉ダンパ３１を閉じると共に、ダンパモータ２９ａを駆動して副吸込口開閉ダンパ２９を閉じ、換気ファンモータ２２を停止して換気運転を停止する。
【００７８】
なお、換気運転を停止する制御としては、制御部３Ａは、換気運転を開始した後、湿度検知センサ４Ａで検知された洗面脱衣室５２の湿度が所定値まで下降してから、予め設定された換気停止時間が経過すると、換気運転を停止するようにしても良い。
【００７９】
すなわち、図５及び図６に示すように、換気運転を開始すると、浴室５１の湿度が下降すると共に、洗面脱衣室５２の湿度が下がる。
【００８０】
このため、換気運転時は、湿度検知センサ４Ａで検知される洗面脱衣室５２の湿度の低下に伴って、浴室５１の湿度も低下していると判断され、洗面脱衣室５２の湿度が所定値まで下降してから、換気停止時間を計時することで、浴室５１内の湿気を確実に排出するのに必要な時間を確保することができる。
【００８１】
更に、換気運転を停止する制御としては、制御部３Ａは、湿度検知センサ４Ａで検知された洗面脱衣室５２の湿度の下降率に応じて図示しない換気停止時間テーブルから換気停止時間を選択し、選択された換気停止時間が経過すると、換気運転を停止するようにしても良い。
【００８２】
すなわち、洗面脱衣室５２の湿度が所定値まで下降するのに要する時間が長くなると、浴室５１内の湿気を排出して湿度を下げるのに要する時間も長くなる傾向にある。
【００８３】
このため、換気運転時は、湿度検知センサ４Ａで検知される洗面脱衣室５２の湿度の下降率から浴室５１内の状態を判断し、洗面脱衣室５２の湿度が所定値まで下降するのに要した時間が２分であると、換気運転を例えば２時間行い、洗面脱衣室５２の湿度が所定値まで下降するのに要した時間が４分であると、換気運転を例えば４時間行うといった制御を行うことで、浴室５１内の湿気を確実に排出することができる。
【００８４】
ここで、換気停止時間は、換気運転開始前の洗面脱衣室５２の湿度の上昇率から設定されるようにしても良い。
【００８５】
すなわち、洗面脱衣室５２の湿度の上昇率が高くなると、浴室５１内の湿度が高く、浴室５１内の湿気を排出して湿度を下げるのに要する時間も長くなる傾向にある。
【００８６】
このため、換気運転時は、湿度検知センサ４Ａで検知される洗面脱衣室５２の湿度の上昇率から浴室５１内の状態を判断し、湿度の上昇率が高い場合は換気停止時間を長く設定し、湿度の上昇率が低い場合は換気停止時間を短く設定することで、浴室５１内の湿気を確実に排出することができる。
【００８７】
このように、浴室５１の湿度と洗面脱衣室５２の湿度は相関関係があるので、湿度検知センサ４Ａで検知された洗面脱衣室５２の湿度に基づいて浴室５１の状態を判断して換気運転が行われ、最適な状態で換気運転が停止されるので、入浴者等が単にタイマーで時間を設定する場合と比較して、換気時間の過不足なく換気運転を行うことができる。
【００８８】
なお、入浴後換気運転モードで開始された換気運転の停止は、手動で行えるようにしても良い。
【００８９】
次に、入浴後換気運転モードで実行される換気運転の他の例について説明する。入浴後換気運転モードで実行される換気運転としては、乾燥運転モードで実行される循環換気運転でも良い。
【００９０】
すなわち、湿度検知センサ４Ａで検知された洗面脱衣室５２の湿度に基づいて、上述したように入浴があったと判断すると、制御部３Ａは、ダンパモータ３１ａを駆動して風路開閉ダンパ３１を開けて所定の開度にすると共に、ダンパモータ２９ａを駆動して副吸込口開閉ダンパ２９を開けて所定の開度にして、換気ファンモータ２２を駆動する。また、ヒータ２０ｈに通電して、循環ファンモータ１５を駆動する。
【００９１】
換気ファンモータ２２が駆動されると、上述したように、換気ファン部１３のファン２１が回転することで、フロントパネル３２の吸込グリル３２ａから、換気吸込口３０ａを通り換気ファン吸込口２４へ浴室５１内の空気が吸い込まれる。
【００９２】
換気ファン吸込口２４から吸い込まれた空気は、排気風路２５によって排気口２６へと流れる。そして、排気ダクトジョイント２８ａに接続された排気ダクト５ａから、屋外グリル６を介して屋外へ排出される。
【００９３】
また、換気ファンモータ２２が駆動されると、副吸込ダクトジョイント２８ｂに接続された副吸込ダクト５ｂを介して、副吸込口グリル７から洗面脱衣室５２の空気が吸い込まれ、排気ダクトジョイント２８ａに接続された排気ダクト５ａから、屋外グリル６を介して屋外へ排出される。
【００９４】
なお、浴室換気装置１Ａで浴室５１の空気が吸い込まれると、浴室扉５１ａの空気取入口５１ｂからも洗面脱衣室５２の空気が浴室５１に吸い込まれる。
【００９５】
循環ファンモータ１５が駆動されると、循環ファン部１２のファン１４が回転することで、フロントパネル３２の吸込グリル３２ａから、循環ファン部１２の循環ファン吸込口１７へ浴室５１内の空気が吸い込まれる。
【００９６】
循環ファン吸込口１７から吸い込まれた空気は、吹出風路１８によって循環ファン吹出口１９へと流れる。ヒータ２０ｈが通電されると、吹出風路１８を通る空気が加熱され、フロントパネル３２の吹出グリル３２ｂから、浴室５１内に温風が吹き出される。
【００９７】
このように、入浴後換気運転モードで循環換気運転を行うと、浴室５１内の空気を循環させて温風を吹き出しながら換気が行われることで、浴室５１内の湿気を排出しながら、浴室５１内の乾燥を促進することができる。
【００９８】
入浴後換気運転モードで実行される換気運転の更に他の例としては、上述した循環換気運転を所定時間実行した後に、換気停止時間まで換気運転を行うようにしても良い。また、ヒータ２０ｈの通電を行わず、送風による循環換気運転を行うようにしても良い。更に、循環風で温風を吹き出す暖房運転を所定時間実行した後に、換気停止時間まで換気運転を行うようにしても良い。
【００９９】
また、入浴後換気運転モードと２４時間換気運転モードが選択されている設定では、通常、入浴前に暖房運転モードが実行されて浴室５１が暖房されると共に、各ダンパが閉じられて浴室５１及び洗面脱衣室５２からの換気運転が停止される。
【０１００】
そして、湿度検知センサ４Ａで検知された洗面脱衣室５２の湿度に基づいて、入浴後換気運転モードで上述したように換気運転が行われると共に、換気運転が停止されると、換気風量が切り替えられて、２４時間換気運転が続行される。
【０１０１】
＜第１の実施の形態の浴室換気システムの構成例＞
図７は、第１の実施の形態の浴室換気システムの一例を示す構成図である。第１の実施の形態の浴室換気システム１１Ａは、浴室５１に設置される浴室換気装置１Ａと、洗面脱衣室５２に設置される洗面室暖房装置８を備える。
【０１０２】
洗面室暖房装置８は、浴室５１との間に浴室扉５１ａを有して隣接した洗面脱衣室５２の、天井に近い壁面に設置され、図示しないファンやヒータ等を備えて、洗面脱衣室５２の空気を循環させながら、温風を吹き出す機能を有する。
【０１０３】
洗面室暖房装置８は、浴室扉５１ａに近い洗面脱衣室５２の壁面に設置された操作部９で操作され、制御部１０の制御で暖房運転等が実行される。
【０１０４】
浴室換気装置１Ａは、図２及び図３で説明した構成で、例えば、洗面室暖房装置８の操作部９に隣り合わせて浴室扉５１ａに近い洗面脱衣室５２の壁面に設置された操作部２Ａで操作され、操作部２Ａが操作されることで選択された運転モードが制御部３Ａの制御で実行される。
【０１０５】
本例では、操作部２Ａに湿度検知センサ４Ａを備え、洗面脱衣室５２の湿度に応じて浴室換気装置１Ａで浴室５１の換気を行うと共に、洗面室暖房装置８で洗面脱衣室５２の暖房を行う入浴後換気運転モード（浴室乾燥運転モード）が実行される。
【０１０６】
入浴後換気運転モードでは、制御部３Ａは、湿度検知センサ４Ａで洗面脱衣室５２の湿度の上昇を検知すると、入浴者が浴室扉５１ａを開けて浴室５１から出て、入浴が終了したと判断して、浴室換気装置１Ａで浴室５１の換気運転を開始すると共に、洗面室暖房装置８で洗面脱衣室５２の暖房運転を開始する。また、入浴後換気運転モードで換気運転及び暖房運転を開始すると、洗面脱衣室５２の湿度の低下または時間の経過等に応じて換気運転を停止する。
【０１０７】
＜第１の実施の形態の浴室換気システムの動作例＞
次に、各図を参照して第１の実施の形態の浴室換気システム１１Ａの動作例について説明する。
【０１０８】
上述したように、図７に示す浴室５１に入浴者が入り、シャワー等を使用すると、浴室５１の湿度が上昇する。そして、入浴が終了した入浴者が浴室５１から出るため、浴室扉５１ａを開けると、浴室５１内の湿気が洗面脱衣室５２に移動することで、洗面脱衣室５２の湿度が上昇する。
【０１０９】
制御部３Ａは、入浴後換気運転モードが選択されている設定では、湿度検知センサ４Ａで検知された洗面脱衣室５２の湿度が、予め設定された所定の換気開始湿度になると、入浴があったとして、図２に示す副吸込口開閉ダンパ２９を閉じて、浴室換気装置１Ａで換気運転を開始する。また、洗面所暖房装置８の制御部１０に暖房運転を開始させる指示を送信し、洗面所暖房装置８で暖房運転を開始させる。
【０１１０】
なお、湿度検知センサ４Ａで検知された洗面脱衣室５２の湿度の上昇率が、予め設定された所定の換気開始湿度上昇率になると、上述した浴室換気装置１Ａの換気運転と洗面所暖房装置８の暖房運転を開始するようにしても良く、更に、湿度検知センサ４Ａで検知された湿度と、湿度の上昇率の双方から、入浴の有無の判断をするようにしても良い。
【０１１１】
洗面所暖房装置８で暖房運転を行うと、洗面脱衣室５２の空気を循環させながら温風ＨＡが吹き出されて、洗面脱衣室５２が暖房される。洗面脱衣室５２が暖房されて温度が上昇すると、洗面脱衣室５２内の相対湿度が下がる。
【０１１２】
浴室換気装置１Ａで換気運転を行うと、吸込グリル３２ａから浴室５１内の高湿の空気ＷＡが吸い込まれる。また、洗面所暖房装置８で暖房されて相対湿度の下がった洗面脱衣室５２内の暖かい空気ＤＡが、浴室扉５１ａの空気取入口５１ｂから浴室５１に吸い込まれる。
【０１１３】
これにより、浴室５１内の高湿の空気が屋外へ排出されると共に、洗面脱衣室５２から相対湿度が下げられた空気が浴室５１に取り込まれるので、入浴後換気運転モードで浴室換気装置１Ａでの換気運転と洗面所暖房装置８での暖房運転を行うと、浴室５１の湿度が下がると共に、洗面脱衣室５２の湿度が下がり、カビの発生等を抑制することができる。
【０１１４】
ここで、浴室空調装置１Ａでは、図２に示す副吸込口開閉ダンパ２９を閉じて換気運転を行うことで、洗面脱衣室５２に設置される副吸込口グリル７からは、相対湿度の下がった洗面脱衣室５２内の暖かい空気ＤＡが吸い込まれないようにして、洗面脱衣室５２内の空気が直接屋外に排出されないようにしている。
【０１１５】
このように、第１の実施の形態の浴室換気システム１１Ａでも、入浴者が操作部２Ａの図示しない換気運転ボタンを押して換気運転を開始する操作を行わなくても、入浴があったことを判断して浴室換気装置１Ａでの換気運転と洗面所暖房装置８での暖房運転が行われるので、第１の実施の形態の浴室換気装置１Ａ単体の場合と同様の効果が得られ、入浴の都度、換気運転ボタンを押す等の煩わしさが解消される。
【０１１６】
浴室換気システム１１Ａにおいて、入浴後換気運転モードで開始された換気運転と暖房運転を停止する制御については、上述した浴室換気装置１Ａ単体の場合の制御と同等で良い。すなわち、制御部３Ａは、浴室換気装置１Ａでの換気運転と洗面所暖房装置８での暖房運転を開始してから、予め設定された換気停止時間、または、換気運転を開始した後、湿度検知センサ４Ａで検知された洗面脱衣室５２の湿度が所定値まで下降してから、予め設定された換気停止時間が経過すると、浴室換気装置１Ａでの換気運転を停止すると共に、洗面所暖房装置８での暖房運転を停止する。
【０１１７】
ここで、換気運転及び暖房運転を停止する制御としては、湿度検知センサ４Ａで検知される洗面脱衣室５２の湿度の上昇率または下降率に基づいて換気停止時間を選択しても良い。
【０１１８】
また、入浴後換気運転モードで実行される換気運転の他の例としては、循環換気運転を行っても良い。
【０１１９】
なお、浴室換気システム１１Ａを構成する浴室換気装置１Ａは、副吸込口を備えていない１室タイプ等と称されるものでも良い。このような浴室換気装置を備える場合、洗面脱衣室５２に別途換気装置を備え、入浴後換気運転モードでは、洗面脱衣室５２の換気装置は運転を停止または中断する制御が行われる。
【産業上の利用可能性】
【０１２０】
本発明は、浴室の暖房や衣類乾燥、浴室及び他室の換気を行う機能を有する浴室換気乾燥機に適用される。
【図面の簡単な説明】
【０１２１】
【図１】第１の実施の形態の浴室換気装置の一例を示す構成図である。
【図２】浴室換気装置の一例を示す構成図である。
【図３】浴室換気装置の一例を示す構成図である。
【図４】第１の実施の形態の浴室換気装置の制御系の一例を示す機能ブロック図である。
【図５】入浴に伴う浴室及び洗面脱衣室の湿度及び温度等の関係を示すグラフである。
【図６】入浴に伴う浴室及び洗面脱衣室の湿度及び温度等の関係を示すグラフである。
【図７】第１の実施の形態の浴室換気システムの一例を示す構成図である。
【符号の説明】
【０１２２】
１Ａ・・・浴室換気装置、２Ａ・・・操作部、３Ａ・・・制御部、４Ａ・・・湿度検知センサ、８・・・洗面所暖房装置、９・・・操作部、１０・・・制御部、１１Ａ・・・浴室換気システム、５１・・・浴室、５１ａ・・・浴室扉、５２・・・洗面脱衣室
【図１】
2008157537.tif 000003
【図２】
2008157537.tif 000004
【図３】
2008157537.tif 000005
【図４】
2008157537.tif 000006
【図５】
2008157537.tif 000007
【図６】
2008157537.tif 000008
【図７】
2008157537.tif 000009